(57)【要約】【課題】  蓋の開口を押しボタンのひと押しで行えると共に、押しボタンのロックを、容易に外し、そのまま、押して開口できるロック可能な蓋付き容器を提供すると共に、そのロックが、幼児にはひと目で判断しにくい状態で提供できるロック可能な開口用ボタンで、ロックと開口用ボタンが一体となった押しボタンと蓋を有する容器。【解決手段】  開口部のある容器本体と蓋とで構成される容器において、容器本体は一端にヒンジにより蓋を回動可能に結合してなり、容器本体の他端には押しボタン挿入部が設けられ、押しボタン挿入部の左右には、先端が切り欠かれたレール状の溝と、長円形状と円形状の穴が連結した溝とが平行に設けられ、押しボタンは、レール状の溝に摺動する鍔と、長円形状の穴を摺動し、かつ円形状の穴に挿入され回動する軸と、蓋に係合する挿入部とを有し、蓋の押しボタン側には押しボタン収納部を設けたことを特徴としたボタン付き容器。【選択図】図４
2014114017.tif 000002
【特許請求の範囲】
【請求項１】
開口部のある容器本体と蓋とで構成される容器であって、
容器本体は、一端に、ヒンジにより蓋が回動可能に結合しており、
容器本体の他端には、凹部から成るボタン挿入部が設けられており、ボタン挿入部の左右の壁には、先端が切り欠かれたレール状のスライド溝と、長円形状と円形状の凹部が連結した形状の凹溝とが平行に設けられており、
このボタン挿入部にボタンが挿入されており、かつ、このボタンは、その側壁に鍔と軸とを有していて、鍔はレール状の前記スライド溝に挿入されており、軸は前記凹溝に挿入されており、
前記ボタンの鍔と軸の双方が、それぞれ、対応する溝をスライドすることによりボタンがボタン挿入部を進退できるように構成されており、かつ、ボタンの退出位置においては、鍔がスライド溝から抜け、軸は外側円形状の凹部に位置して、ボタンを押すことによりこの軸を中心としてボタンが回動するように構成されており、
前記蓋は、容器本体の前記ボタン挿入部に挿入できる係合部を有しており、この係合部は、容器内面側の板状部材と容器外面側の板状部材との間に間隙を形成して構成されており、
容器を閉鎖した状態では、蓋の前記係合部が容器本体のボタン挿入部に挿入されており、かつ、ボタンが前記係合部の間隙に進出して、蓋が開くことを阻止しており、
このボタンを退出させて、その軸を外側円形状の凹部に位置させたとき、ボタンの先端と前記係合部の容器内面側の板状部材とが、わずかに係合した状態となり、次いでボタンを押してボタンを回動させたとき、ボタンの先端と前記板状部材との係合がはずれて蓋が開くことを特徴とするボタン付き容器。
【請求項２】
容器本体は、ヒンジ近傍に開口バネが配置され、開口バネは蓋が開く方向に付勢された容器であることを特徴とした請求項１に記載したボタン付き容器。
【請求項３】
押しボタンの鍔は、係合部側先端が薄い、又は円弧を持ったことを特徴とした請求項１又は２に記載したボタン付き容器。
【請求項４】
容器本体の、先端が切り欠かれたレール状の溝は、切り欠き部分で溝幅が大きくなるように、勾配、又は円弧を有することを特徴とした請求項１〜３のいずれかに記載したボタン付き容器。
【請求項５】
ボタンの下側と容器本体との間に、バネ部を設けたことを特徴とした請求項１〜４のいずれかに記載したボタン付き容器。
【請求項６】
ボタンの挿入部先端に勾配を設けたことを特徴とした請求項１〜５のいずれかに記載したボタン付き容器。
【請求項７】
蓋の係合部を構成する下端の壁先端に勾配を設けたことを特徴とした請求項１〜６のいずれかに記載したボタン付き容器。
【発明の詳細な説明】
【技術分野】
【０００１】
本発明は、主として箱型の容器に関し、さらに詳しくは、容器天面に押しボタンで開口する蓋を有する容器であって、容易にロックを解除して開口し、あるいは、容易にロックできる容器に関する。
【背景技術】
【０００２】
ウエットティッシュのように、開放状態でいると乾燥したりして、その内容物の性能が発揮できなくなる、あるいは、ビスケットのように、開放状態で湿気を吸って、食感が大きく損なわれたり、腐敗しやすくなったりするような内容物に対し、密封して外部に飛散する水分やアルコールなどの揮発または侵入を防止できるよう、密閉蓋を設け、使用する毎に容器の蓋を開閉し、内容物を取り出す容器が必要になる。それが、ワンタッチで容易に開口でき、閉鎖した状態でロックできる容器があれば、より便利である。
【０００３】
文献１では、容器本体とその取出口を開閉できるように容器本体に取り付けられた蓋と、蓋を開く方向に付勢する付勢手段と、蓋と噛み合って蓋を付勢手段に抗して閉じた状態に保持する閉位置と、蓋との噛み合いが解除される開位置との間で操作可能な操作部材を備えた蓋付き容器において、
操作部材には閉じた状態の蓋を拘束するとともに、操作部材の操作方向と同一方向の移動が阻止されるように容器本体の係止面と当接して操作部材の開位置への操作を不能にするロック位置と、閉じた状態の蓋及び容器本体の係止面から離れて操作部材の閉位置から開位置への操作を許容する解除位置との間で移動可能なロック部材が取り付けられて、
蓋が閉じた状態であるときに操作部材と対抗する蓋の前縁部にはその周囲の面としての操作部材側の前縁部の面より後退して形成された一端が閉じた又は両端が開口したロック凹部が設けられ、
ロック部材には、蓋を閉じてロック部材をロック位置に移動させたときにロック用凹部に差し込まれ、ロック部材を解除位置に移動させたときにロック用凹部から脱出する係止部が設けられている蓋付き容器を提案している。
しかしながら、このような容器では、開口するときには、ロック部材を解除位置に移動させる操作と、操作部材を開位置への操作が必要であり、開閉に二つの操作を必要とする問題と、ロック部材が解除位置にあるか、容易に判断できるので、幼児にも直ぐに判断できてしまう問題があった。
【０００４】
文献２では、内側に家庭用薄葉紙を収納するとともに、家庭用薄葉紙の取出口を具備する容器本体と、容器本体に取出口を開閉するように回動自在に取り付けられた蓋体と、取出口を開状態とするために蓋体の一端部を跳ね上げる動作を行う操作部とを備える家庭用薄葉紙収納容器であって、
操作部は、容器本体に対して回動自在に取り付けられ、容器本体に対する回動の中心軸を構成する回動軸部と、蓋体の一端部に接触する接触部とを有し、回動軸部を中心として回動する際に接触部が一端部に接触可能な接触位置と接触不可能な接触不可位置とに配置されるように移動自在に構成され、
容器本体は、回動軸部が取り付けられる長円形状の取付穴部と、接触部が係合して操作部の回動軸部を中心とする回動を規制する被係合部とを備え、
操作部は、回動軸部が取付穴部に沿って移動するように押し込まれることで接触部が被係合部に係合して接触不可位置に配置される一方で、回動軸部が取付穴部に沿って移動するように引き出されることで接触部が接触位置に配置されるようになっており、
容器本体は、家庭用薄葉紙が収納される収納部と、収納部の外側に設けられ、起立面を具備する壁部をさらに備え、
取付穴部は、起立面から座刳られるように形成され、取付穴部の内面から突出されて回動軸部の位置を規制する位置規制凸部を備え、
壁部には、位置規制凸部を挟むように取付穴部に対向させて壁部を貫通する貫通穴が設けられていることを特徴とする家庭用薄葉紙収納容器を提案している。
しかしながら、この家庭用薄葉紙収納容器は、操作部だけの操作で対応が可能といえども、操作部を取り付け穴部に沿って移動させるという、操作しにくい作業を行い、その後、操作部を回動させ、接触部の係合を外す作業の二つの操作で、連続してそのまま進められる作業ではなく、別々に操作が必要で、手間の掛かる作業になっていたという問題があった。
【先行技術文献】
【特許文献】
【０００５】
【特許文献１】特許第４８３７８８１号公報
【特許文献２】特許第４３８７４１８号公報
【発明の概要】
【発明が解決しようとする課題】
【０００６】
蓋の開口を押しボタンのひと押しで行えると共に、押しボタンのロックを、容易に外し、そのまま、押して開口できるロック可能な蓋付き容器を提供すると共に、そのロックが、幼児にはひと目で判断しにくい状態で提供できるロック可能な開口用ボタンで、ロックと開口用ボタンが一体となった押しボタンと蓋を有する容器を提供することが、本発明の課題である。
【課題を解決するための手段】
【０００７】
本発明の請求項１に係るボタン付き容器は、開口部のある容器本体と蓋とで構成される容器であって、
容器本体は、一端に、ヒンジにより蓋が回動可能に結合しており、
容器本体の他端には、凹部から成るボタン挿入部が設けられており、ボタン挿入部の左右の壁には、先端が切り欠かれたレール状のスライド溝と、長円形状と円形状の凹部が連結した形状の凹溝とが平行に設けられており、
このボタン挿入部にボタンが挿入されており、かつ、このボタンは、その側壁に鍔と軸とを有していて、鍔はレール状の前記スライド溝に挿入されており、軸は前記凹溝に挿入されており、
前記ボタンの鍔と軸の双方が、それぞれ、対応する溝をスライドすることによりボタンがボタン挿入部を進退できるように構成されており、かつ、ボタンの退出位置においては、鍔がスライド溝から抜け、軸は外側円形状の凹部に位置して、ボタンを押すことによりこの軸を中心としてボタンが回動するように構成されており、
前記蓋は、容器本体の前記ボタン挿入部に挿入できる係合部を有しており、この係合部は、容器内面側の板状部材と容器外面側の板状部材との間に間隙を形成して構成されており、
容器を閉鎖した状態では、蓋の前記係合部が容器本体のボタン挿入部に挿入されており、かつ、ボタンが前記係合部の間隙に進出して、蓋が開くことを阻止しており、
このボタンを退出させて、その軸を外側円形状の凹部に位置させたとき、ボタンの先端と前記係合部の容器内面側の板状部材とが、わずかに係合した状態となり、次いでボタンを押してボタンを回動させたとき、ボタンの先端と前記板状部材との係合がはずれて蓋が開くことを特徴とするボタン付き容器である。
【０００８】
また、本発明の請求項２に係るボタン付き容器は、容器本体は、ヒンジ近傍に開口バネが配置され、開口バネは蓋が開く方向に付勢された容器であることを特徴としたボタン付き容器である。
【０００９】
また、本発明の請求項３に係るボタン付き容器は、押しボタンの鍔は、係合部側先端が薄い、又は円弧を持ったことを特徴としたボタン付き容器である。
【００１０】
また、本発明の請求項４に係るボタン付き容器は、容器本体の、先端が切り欠かれたレール状の溝は、切り欠き部分で溝幅が大きくなるように、勾配、又は円弧を有すること
を特徴としたボタン付き容器である。
【００１１】
また、本発明の請求項５に係るボタン付き容器は、ボタンの下側と容器本体との間に、バネ部を設けたことを特徴としたボタン付き容器である。
【００１２】
また、本発明の請求項６に係るボタン付き容器は、ボタンの容器側先端に勾配を設けたことを特徴としたボタン付き容器である。
【００１３】
また、本発明の請求項７に係るボタン付き容器は、蓋の係合部を構成する下端の壁先端に勾配を設けたことを特徴としたボタン付き容器である。
【発明の効果】
【００１４】
本発明のボタン付き容器は、ボタンを引き出してロックを外し、そのまま押す一連の作業で開口でき、しかも、大きな力が必要とせずにロックを外すことができる。しかも、幼児にはロックの有無が分かりにくいので、いたずらされにくい。また、ロックの解除も、押す開口ボタンも一体でできているので、簡単で早く操作できる。
また、感触で、ロックの解除とロックが判断しやすい効果がある。
【図面の簡単な説明】
【００１５】
【図１】本発明であるボタン付き容器の一例で、蓋を開けた状態の容器を示す斜視図である。
【図２】本発明のボタン付き容器において、容器本体のボタンが取り付けられる部分を拡大して示した詳細斜視図である。
【図３】本発明のボタン付き容器において、蓋にロックするボタンの斜視図である。
【図４】本発明のボタン付き容器において、蓋を閉め、ロックされた状態における係合部分の詳細断面図である。
【図５】本発明のボタン付き容器において、ロックで係合する部分の各部品に分けた詳細断面図である。
【図６】本発明のボタン付き容器において、ロック用ボタンが引き出された状態における係合部分を含む断面図である。
【図７】本発明のボタン付き容器で、ロック用ボタンが押されて、ロックが完全に外れた状態における係合部分の詳細断面図である。
【図８】本発明のボタン付き容器で、ロックが外れ、蓋は開き始めた状態における係合部分の詳細断面図である。
【図９】本発明のボタン付き容器で、蓋を押して、閉めている状態における係合部分の詳細断面図である。
【図１０】本発明のボタン付き容器で、蓋を押して、閉めた状態で、ロック用のボタンを掛ける前の状態における係合部分の詳細断面図である。
【図１１】本発明のボタン付き容器で、蓋が閉まり、ロック用ボタンを押してロックした状態における係合部分の詳細断面図である。
【図１２】本発明のボタン付き容器において、ロックで係合する各部品の係合部分の詳細断面図である。
【図１３】本発明のボタン付き容器において、ボタン下部にバネ部を設けたボタンが挿入されている第２の実施例で、蓋を閉め、ロックされた状態における係合部分の詳細断面図である。
【図１４】本発明のボタン付き容器において、ボタン下部にバネ部を設けたボタンが挿入されている第２の実施例で、ロックで係合する部分の各部品に分けた詳細断面図である。
【図１５】本発明のボタン付き容器において、ボタン下部にバネ部を設けたボタンが挿入されている第２の実施例で、ロック用ボタンが引き出された状態における係合部分を含む断面図である。
【図１６】本発明のボタン付き容器において、ボタン下部にバネ部を設けたボタンが挿入されている第２の実施例で、ロック用ボタンが押されて、ロックが完全に外れ、蓋は開き始めた状態における係合部分の詳細断面図である。
【図１７】本発明のボタン付き容器において、ボタン下部にバネ部を設けたボタンが挿入されている第２の実施例で、ロックが外れ、蓋は開き始めた状態における係合部分の詳細断面図である。
【図１８】本発明のボタン付き容器において、ボタン下部にバネ部を設けたボタンが挿入されている第２の実施例で、蓋とロック用のボタンを押して、蓋を閉めつつある状態で、ロック用のボタンを掛ける前の状態における係合部分の詳細断面図である。
【図１９】本発明のボタン付き容器で、蓋が閉まり、ロックが掛かった状態で、ここから、ロック用ボタンを押して、完全にロックを掛ける状況における係合部分の詳細断面図である。
【発明を実施するための形態】
【００１６】
以下、本発明のボタン付き容器における実施の形態例について、動作に沿った順で、図を用いて詳細に説明する。
図１は本発明のボタン付き容器全体を示す図で、蓋を開けた状態における斜視図である。ボタン付き容器は、容器本体１と、蓋２と、ボタン３から構成されている。
容器本体１には上部に開口部１１があり、内容物をこの開口部１１から取り出される。
また、蓋先端をロックして、移動における振動などで開口してしまう誤動作から守るロック用ボタン３が一方に設けられている。
容器本体１の他方における端部にはヒンジ４があり、そのヒンジ部内側には開口バネ５が設けられ、開口バネによって、常に蓋は開口する方向に付勢されている。
通常、容器本体１は、上下ふたつの容器から構成され、内容物を充填したりする時に、上下を分離できるようにしている。もちろん、内容物が乾燥したりしないよう、機密性のある上下の容器本体が嵌合している。
図1では、本体容器１の一例として、蓋が覆う蓋受け面１２部分は凹にしているが、凹にしなくてもかまわない。
蓋２には、容器本体１の開口部１１に挿入又は嵌合する開口突起２２が中央に設けられ密封性が確保される。また、蓋２には一方の端には係合する係合部２１が設けられ、係合部２１の周囲には壁が形成され、他方の端には容器本体に設けたヒンジ４で連結されている。
【００１７】
図２は、本発明のボタン付き容器の容器本体１におけるボタン３挿入部分の詳細斜視図である。ボタン挿入部１３は、蓋の係合部２１が挿入する部分でもあり、蓋の係合部を形成する壁の高さ以上の深さが設けられている。
また、ボタン挿入部１３の側面には、左右にそれぞれ、ボタン３の鍔３１が挿入されて前後に摺動するスライド溝１３１と、ボタン３の軸３２が挿入されて前後に摺動し、かつ、回動する凹溝１３２とが平行に設けられている。
スライド溝１３１は、側面壁が途中で広がって壁１３１１が設けられているのに合わせ、切り欠き１３１２ができている。その為、ボタン３の鍔３１は外側に移動すると、スライド溝１３１から外れ、下にも移動可能になる。
【００１８】
図３は、本発明のボタン付き容器のボタン３の詳細図である。ボタン３には、左右側面
にそれぞれ、軸３１と鍔３２が設けられている。
さらに、ボタン３の背面側に、蓋２の係合部２１に挿入される挿入部３３があり、係合部２１よりも小さめに作成してある。また、ボタン３の上面先端には、ボタン３を引き出すための抵抗部３４が設けられている。抵抗部３４は、図３−１のように大きなひとつのリブであっても、図３−２のように細い数本のリブで構成されていてもよいし、逆に、図３−３のように凹になって指が掛かるようなものでも、また、粗いシボ加工して滑りにくくしたものでもかまわない。
【００１９】
図４は、本発明の組み立てたボタン付き容器の蓋が閉まった状態におけるボタン近傍の詳細断面図である。
蓋２を閉めた状態では、ボタン３の挿入部３３は、蓋２の係合部２１に挿入されており、ボタン３の軸３２は凹溝１３２の内側端部に入っている。蓋２は開口バネ５で開こうとする力が加わっているが、ボタン３でロックされている。
【００２０】
図５は、本発明の組み立てたボタン付き容器のボタン近傍のそれぞれについての詳細断面図である。
凹溝１３２は、長円の凹部１３２１と円形凹部（内側）１３２２、円形凹部（外側）１３２３の凹溝で構成され、長円と円形の間には狭部１３２４、１３２５が形成されている。凹溝１３２は穴であってもかまわないが、容器本体が密閉性を必要にしているので、独立した壁にする場合を除いて、筒抜けの穴ではなく、凹溝であることが好ましい。
凹溝１３２の長円と円形の間には狭部１３２４と１３２５は、軸３２が、その間を移動するのに抵抗があって、長円と円形の間を自然に移動できてしまわないようにする役目と、使用する人に、ボタン３の出し入れに感触を伝える役目がある。その為、狭い部分１３２４と１３２５は、軸３２の径よりわずかに小さな幅に設定され、抵抗はあるが、無理をすれば通る寸法にしている。
図では長円の凹部１３２１の内側、外側にそれぞれ円形凹部１３２２、円形凹部１３２３を設けているが、内側の円形凹部１３２２部分は長円の延長で構成されていてもかまわない。この内側の円形凹部１３２２部分は、ロックした状態を保ちやすくする目的で設けられている。外側の長円と円形の間には狭部１３２５は、ボタン３を押すと確実にロックが外れる位置に入った感触を持たせる為に設けてある。そのため、できれば、内側、外側にそれぞれ円形の凹部１３２２、１３２３を形成できるよう、狭部（内側）１３２４と狭部（外側）１３２５を設けておくことが好ましい。
【００２１】
図６は、本発明の組み立てたボタン付き容器の蓋が閉まった状態から、ボタン３を引き出して、ボタン３の挿入部３３を、蓋２の係合部２１から抜いた状態の詳細断面図である。
ボタン３の軸３２が、容器本体１の円形凹部１３２２から円形凹部１３２３に移動しているが、蓋２の係合部２１の先端は、まだ、ボタン３の挿入部３３に押えられている。
このボタン３の摺動中で長円の凹部１３２１に軸３２がある状態では、ボタン３のロックが外れかかっているかは、単にボタン３の抵抗部３４の位置が外側にわずかに移動したようにしか見えず、ボタン３の挿入部３３の先端が見えないので、分かりにくくなっている。また、狭部２３２４（内側）を通るのに、抵抗があるので、引き出すことが分かりにくくなっている。
このようにする為、わずかでも、蓋２の係合部２１の内面側の先端が外面側の先端よりも長く飛び出し気味にすることが好ましい。すなわち、図５における飛び出し量２３をプラスにしておくのである。
ただ、この状態で、開口バネ５の力が、開口突起２２と容器本体の開口部との嵌合力よりも充分に大きいと、開口バネ５の開口力で蓋２は図７に移行し、開口する。
図６の状態を保持したい場合は、ボタン３の側面と容器本体のボタン挿入部の壁のいずれかに凹部と凸部をそれぞれ設け、ボタン３の回動に対し、抵抗を付ける方法もある。
【００２２】
図７は、本発明の組み立てたボタン付き容器の蓋が閉まっているが、ボタン３を引き出した状態から、ボタン３の抵抗部３４を押した状態に移った詳細断面図である。
ボタン３の抵抗部３４を押し下げると、ボタン３の軸３２が、容器本体１の円形凹部１３２３で回動し、挿入部３３が押えていた蓋２の係合部２１の先端が開放され、自由に回動することができるようになる。
しかし、図６で示したように、開口バネ５の力が、開口突起２２と容器本体の開口部との嵌合力よりも充分に大きく、開口バネ５で開口する時には、図６から続けて図７のように、開口バネ５の力で蓋２が開口してくる。その為、蓋２の先端の係合部２１が開口バネ５の力によって上昇してくるので、ボタン３の挿入部が押し上げられ、ボタン３も軸３２を中心に回動し、結果的に抵抗部３４が下がってくる。
開口バネ５の力が、開口突起２２と容器本体の開口部との嵌合力よりも小さい時は、その段階で、蓋２の先端、係合部２１近傍を手で開ける必要がある。
たとえば、容器本体１の開口部に平面を設け、その平面に対し、蓋２の開口突起２２が、コンタクトリングのように、単に押し当てられ、密閉化する方式のような場合、開口突起２２と容器本体の開口部との嵌合力は、蓋の開口力には、ほとんど影響を与えないので、開口バネ５の力で開口できる。
【００２３】
図８は、本発明の組み立てたボタン付き容器において、蓋２の係合部２１の先端が開放され、蓋２がヒンジ４を中心に回動して開き始めた状態の詳細断面図である。
この状態にでは、ボタン３は鍔３１がスライド溝１３１から抜けたままで、重心が軸３２より外側にあるので、押されたままの状態を保っている。
【００２４】
図９は、本発明の組み立てたボタン付き容器において、蓋２を押して閉めている状態における詳細断面図である。
蓋２を閉めても、ボタン３は鍔３１がスライド溝１３１から抜けたままで、重心が軸３２より外側にあるので、押されたままの状態を保っている。
【００２５】
図１０は、本発明の組み立てたボタン付き容器において、蓋２を閉め、ボタン３を水平な位置に戻している詳細断面図である。
蓋２を閉めても、ボタン３は鍔３１がスライド溝１３１から抜けたままであったので、これを水平にして、鍔３１をスライド溝１３１と同じ高さにして、鍔３１をスライド溝１３１に挿入できる位置に保っている。ボタン３を水平位置にすると、挿入部３３先端が、矢印で示した蓋２の係合部２１に接して止まるので、ボタン３の軸３２より外側を押し上げれば、水平位置になり、鍔３１とスライド溝１３１の高さが一致する。
【００２６】
図１１は、本発明の組み立てたボタン付き容器において、蓋２を閉め、ボタン３を水平な位置に戻してから、ボタン３の挿入部３３を蓋２の係合部２１に、挿入している詳細断面図である。
蓋２を閉めても、ボタン３は鍔３１がスライド溝１３１から抜けたままであったので、これを水平にして、鍔３１をスライド溝１３１と同じ高さにして、鍔３１をスライド溝１３１に挿入できる位置に保っている。
【００２７】
図１２は、係合をし易くするように、各係合部の先端に勾配やテーパーを設けた例である。すなわち、容器本体１のスライド溝１３１の切り欠き１３１２先端にテーパーを設け、ボタン３の鍔３１の挿入側上面にも勾配を付け、挿入しやすくする。蓋２の係合部２１入口の上面に勾配を設け、ボタン３の挿入部３３の挿入側上面にも勾配を付け、挿入しやすくする。
【００２８】
図１３は、ボタン３０の下側にバネ部３０１を設けた例で、蓋が閉まった状態における
ボタン近傍の詳細断面図である。
蓋２を閉めた状態では、ボタン３の挿入部３３は、蓋２の係合部２１に挿入されており、ボタン３の軸３２は凹溝１３２の内側端部の円形の凹部１３２２に入っている。蓋２は開口バネ５で開こうとする力が加わっているが、ボタン３でロックされている。
【００２９】
図１４は、本発明の組み立てたボタン付き容器の例で、下側にバネ部３０１を設けたボタン３０近傍のそれぞれについての詳細断面図である。
ボタン３０の下側に設けたバネ部３０１は、円筒の一部を切り取ったような形状になっているが、必ずしもこのような形状でなくてもかまわない。このバネ部３０１は、容器本体１のボタン挿入部１３の底面に接するように設けられていて、圧力を受けた場合のみ、抵抗部３４側が下側に下がることで、挿入部３３が上側に上がる。
また、ボタンの挿入部３３には傾斜した挿入勾配部３３１が設けられており、また、蓋２の係合部２１を構成する下端の壁先端には、係合勾配部２１１が設けられている。
その他の部分は、図５と同様となっている。
【００３０】
図１５は、本発明の組み立てたボタン付き容器の蓋が閉まった状態から、下側にバネ部３０１を設けたボタン３０を引き出して、ボタン３０の挿入部３３を、蓋２の係合部２１から抜いた状態の詳細断面図である。
ボタン３０の鍔３１がスライド溝１３１から抜け出しているので、ボタン３０は軸３２を中心に回動が可能な状態になっている。
そして、ボタン３０の軸３２が、容器本体１の円形凹部（内側）１３２２から円形凹部（外側）１３２３に移動しているが、バネ部３０１でボタンは蓋の開口を抑える方向に力が掛かっており、ボタン３０が引き出された直後では、蓋２の係合部２１の先端は、まだ、ボタン３０の挿入部３３に押えられている。
このバネ部３０１を有するボタン３０の場合も、摺動中で長円の凹部１３２１に軸３２がある状態では、ボタン３のロックが外れかかっているかは、単にボタン３の抵抗部３４の位置が外側にわずかに移動したようにしか見えず、ボタン３の挿入部３３の先端が見えないので、分かりにくくなっている。また、狭部２３２４（内側）を通るのに、抵抗があるので、引き出すことが分かりにくくなっている。
図５の場合と同じように、図１４における飛び出し量２３をプラスにしておく。
この状態で、開口バネ５の力が、開口突起２２と容器本体の開口部との嵌合力やボタン３０のバネ部３０１の力よりも充分に大きいと、開口バネ５の開口力で蓋２は図１６に移行し、開口する。
【００３１】
図１６は、本発明の下側にバネ部３０１を設けたボタン３０を使用したボタン付き容器で、蓋が閉まっているが、ボタン３０を引き出した状態から、ボタン３の抵抗部３４を下側に押した状態に移った詳細断面図である。
ボタン３０の抵抗部３４を押し下げると、ボタン３０の軸３２が、容器本体１の円形凹部１３２３で回動し、挿入部３３が押えていた蓋２の係合部２１の先端が開放され、自由に回動することができるようになり、開口バネ５の力で蓋２が開口し始める。
【００３２】
図１７は、本発明の下側にバネ部３０１を設けたボタン付き容器において、蓋２の係合部２１の先端が開放され、蓋２がヒンジ４を中心に回動して開き始めた状態の詳細断面図である。
この状態では、ボタン３０は抵抗部３４の押さえから開放されると、バネ部３０１の力で抵抗部３４が上昇し、全体は水平に近い位置に戻っていく。
【００３３】
図１８は、本発明の下側にバネ部３０１を設けたボタン付き容器において、蓋２を押して閉めている状態における詳細断面図である。
まだ、ボタン３０の軸３２は外側の円形の凹部１３２３に入っており、スライド溝１３１
に鍔３１が係合していないので、軸３２中心に回動が可能になっている。
この為、この下側にバネ部３０１を設けたボタン付き容器の場合、蓋２を閉める時には、ボタン３０の抵抗部３４を押して、挿入部３３を上側に上げる必要がある。
挿入部３３を上側に上げると、ボタン30の挿入部３３先端が、蓋２の係合部２１から外れる位置になる。
この時、係合勾配部２１１を設けることにより、蓋２を押し下げることで、挿入勾配部３３１を容易に乗り越えて、ボタン３０に係止しやすくなる。
【００３４】
図１９は、本発明の下側にバネ部３０１を設けたボタン付き容器において、蓋２を閉め、ボタン３０を水平な位置に戻している詳細断面図である。
蓋２を閉めても、ボタン３０は鍔３１がスライド溝１３１から抜けたままであったが、ボタン３０に設けたバネ部３０１によって挿入部３３が下側に押される。さらに、ボタンの先端に挿入勾配部３３１が設けられているので、ボタン３０の外側端部を押す事で、自然に挿入部３３が蓋2の係合部２１に挿入され、蓋２が完全に係止する。
【００３５】
本発明は以上のようなもので、ボタン３は容器本体１や蓋２に対して摺動させたり、回動させる為、容器本体１や蓋２とは違った材質にすることが好ましい。また、剛性や強度も必要である。製造は通常射出成形によるので、射出成形性のよいものがよい。従って、ボタン３の材質は、アクリロニトリル・ブタジエン・スチレン共重合樹脂、ポリオキシメチレン樹脂、ポリオキシエチレンとポリオキシメチレンとの共重合樹脂、ポリカーボネート樹脂、射出成形後吸水させたポリアミド樹脂、などが考えられる。
【００３６】
また、容器本体１も射出成形で製造される。保存機能として、水分やアルコールを通しにくいものが好ましく、また、落下強度や剛性があり、射出流動性の高い樹脂が好ましい。ポリエチレン樹脂、ポリプロピレン樹脂、エチレン・プロピレン共重合樹脂、アクリロニトリル・スチレン共重合樹脂、ポリメチルペンテン樹脂などが考えられる。
【００３７】
蓋２も射出成形で製造される。本体と同じように、ポリエチレン樹脂、ポリプロピレン樹脂、エチレン・プロピレン共重合樹脂、アクリロニトリル・スチレン共重合樹脂、ポリメチルペンテン樹脂などが考えられる。
【００３８】
ヒンジ４は、容器本体１や蓋２と一体に成形される樹脂ヒンジでも、金属棒を使用して別体で用意してもかまわない。
バネも、樹脂やゴム系の材料でも、金属であってもかまわない。
【００３９】
以下、本発明の実施例について記載する。
容器本体１は、図１の容器本体の形状の内、天面と側面を合わせた上と、底との２点に分けた形状とし、材料をエチレン・プロピレン共重合樹脂とし、射出成形により製造した。底側と上側と前面部分の合わせ部分は嵌合爪とコンタクトリングで密閉できるようにした。
蓋２は高密度ポリエチレン樹脂を使用し、図１の形状の金型で射出成形した。
ボタン３は２モルパーセントのオキシエチレン単位を含むポリオキシメチレンの共重合樹脂で、図３−１形状の金型で射出成形した。
内容物は不織布にエチルアルコールを含浸させたものを作成し、２００枚を容器に入れた。
【００４０】
評価は、３歳と５歳の幼児にそれぞれ、開閉の方法を教えずに、容器を渡し、何分で開けられるか確認した。３歳の幼児は開けられず、５歳の幼児は開口するのに、１２分間も掛かかり、閉めるのには１分間で閉められた。また、容器も蓋を閉めた状態で、３ヶ月２５℃２０％ＲＨの環境下で保存したが、不織布は乾燥せず、濡れた状態を保っていた。
【００４１】
本発明のワンプッシュオープン容器は、以上のようなもので、ボタン３を引き出して押すだけで開き、蓋を押してからボタンを押し込んだだけでロックする。しかも、ボタンを引き出しかかった状態で、ロックが外れかけた状態が分かりづらいので、幼児にいたずらされにくい。また、ボタンを引き、押す一つでロックできる容易さと、ロック爪で固定化できるので、搬送や積載する時の振動などで容器が開くなどの問題は出ない。また、開ける時、閉める時の感触がしっかり出ているので、迷いがなくできるなど、メリットが大きい。
【符号の説明】
【００４２】
１・・・・・・・・・容器本体    
１１・・・・・・・・開口部      
１２・・・・・・・・蓋受け面    
１３・・・・・・・・ボタン挿入部    
１３１・・・・・・・スライド溝    
１３１１・・・・・・壁    
１３１２・・・・・・切り欠き  
１３２・・・・・・・凹溝    
１３２１・・・・・・長円の凹部
１３２２・・・・・・円形凹部（内側）
１３２３・・・・・・円形凹部（外側）
１３２４・・・・・・狭部（内側）
１３２５・・・・・・狭部（外側）
２・・・・・・・・・蓋    
２１・・・・・・・・係合部    
２１１・・・・・・・係合勾配部（係合部を構成する下端の壁先端）
２２・・・・・・・・開口突起    
２３・・・・・・・・飛び出し量（蓋の係合部先端）
３・・・・・・・・・ボタン      
３０・・・・・・・・ボタン（下側バネ部付き）
３０１・・・・・・・バネ部
３１・・・・・・・・鍔    
３２・・・・・・・・軸
３３・・・・・・・・挿入部
３３１・・・・・・・挿入勾配部
３４・・・・・・・・抵抗部
４・・・・・・・・・ヒンジ
５・・・・・・・・・開口バネ
【図１】
2014114017.tif 000003
【図２】
2014114017.tif 000004
【図３】
2014114017.tif 000005
【図４】
2014114017.tif 000006
【図５】
2014114017.tif 000007
【図６】
2014114017.tif 000008
【図７】
2014114017.tif 000009
【図８】
2014114017.tif 000010
【図９】
2014114017.tif 000011
【図１０】
2014114017.tif 000012
【図１１】
2014114017.tif 000013
【図１２】
2014114017.tif 000014
【図１３】
2014114017.tif 000015
【図１４】
2014114017.tif 000016
【図１５】
2014114017.tif 000017
【図１６】
2014114017.tif 000018
【図１７】
2014114017.tif 000019
【図１８】
2014114017.tif 000020
【図１９】
2014114017.tif 000021